(57)【特許請求の範囲】
【請求項１】
引戸に装着される引手であって、引戸の戸先側木口に形成される切欠きの周囲の両側面に被着される一対のフランジ部と、一対のフランジ部の前端同士を連結して該切欠きの底面に被着される基部と、基部の引戸厚さ方向中途を起点として戸先方向に向かうにつれて一方側から他方側に傾斜して延長する傾斜部と、傾斜部の前方から一方側のフランジ部には至らない高さまで基部と略平行に立ち上がる第一立ち上がり部と、傾斜部の前方から他方側のフランジ部と略同じ高さまで基部と略平行に立ち上がって装着時にその外面が引戸の戸先側木口と略面一の前端面となる第二立ち上がり部と、を有しており、
傾斜部によって装着時に引戸の一方側に現れる第一凹部と引戸の他方側に現れる第二凹部とに区画され、
第一凹部においては、傾斜部の起点から引戸の一方側のフランジ部に至る領域の基部内面が引戸開放操作時の指掛け面となり、前記第一立ち上がり部の内面が引戸閉止操作時の指掛け面となり、
第二凹部においては、傾斜部の起点から引戸の他方側のフランジ部に至る領域の基部内面が引戸開放操作時の指掛け面となり、前記第二立ち上がり部の内面が引戸閉止操作時の指掛け面となり、
前端面の第一凹部側には、第一立ち上がり部と一方側のフランジ部との高さの差に応じた指入れ用の隙間が形成されることを特徴とする引手。
【請求項２】
傾斜部の傾斜角度が５〜２０度であることを特徴とする、請求項１記載の引手。
【発明の詳細な説明】
【技術分野】
【０００１】
本発明は、引戸の引手に関し、より詳しくは、引戸のいずれの側からも容易に開閉操作することができると共に開閉操作の際に指挟みが生じないような構成の引手に関する。
【背景技術】
【０００２】
特許文献１に記載される引手１５は、側部フランジ２２ａ，２２ａの内面を引戸側面１０ｃ，１０ｃに当接させた状態で、閉止方向最先端に位置する引戸端面１０ｂに凹設した装着凹部１０ａに嵌着され、引戸のいずれの側からも、第一の指掛け面３５に指を掛けて引戸を開け、第二の指掛け面３６に指を掛けて引戸を閉めることができるように構成されている（段落００２０，００２７〜００３０）。また、端面側にレバー４１が搖動自在に連結され、このレバーを回転させながらその内部（凹部３４）に指を入れることができるので、この引手を装着した引戸が隣接する他の引戸と重なり合っている場合であっても、レバー内側の湾曲側面４１ｂに指を掛けて該引戸を引き出すことができ、且つ、指挟みを防止することができると記載されている（段落００２３）。
【先行技術文献】
【特許文献】
【０００３】
【特許文献１】特開２０１４−１１８７０１号公報
【発明の概要】
【発明が解決しようとする課題】
【０００４】
しかしながら、特許文献１記載の引手は、引戸端面に嵌着されるベース部２０とこれに回転自在に連結されるレバー４１の２部品から構成され、単一部材からなる引手と比べると製造コストが嵩み、部品管理にも手間が掛かる。また、第一の指掛け面３５およびレバー湾曲側面４１ｂはいずれも湾曲面として形成され、引戸開閉操作時に指を掛けたときに滑りやすく、指が外れてしまう場合がある。特に、レバー湾曲側面４１ｂに指を掛けて重なり合った引戸を引き出そうとすると、レバー４１が回転して湾曲側面４１ｂの先端がＸ方向に向かってしまうため、指を掛けることができなくなる。また、レバー４１が回転するためには、限られた厚さ範囲内に２つの隙間Ｓを設けなければならず、各隙間Ｓが小さくなって指を入れにくくなる。
【０００５】
したがって、本発明が解決しようとする課題は、引戸のいずれの側から開閉操作することができる引手として、単一部材からなるものであり、且つ、そのいずれの側からも指を掛けて引戸開閉操作を容易且つ確実に行うことができ、しかも指挟みも防止することができる引手を提供することである。このような両面操作可能な引手は、その装着状態から理解されるように、引戸と略同一の厚さを有するにすぎない。木質材で形成される引戸の厚さは一般に３０ｍｍ程度であるため、これに装着する引手の厚さも同程度であり、その中で両面に開閉操作のための指掛け部を形成しなければならない。特に、２枚またはそれ以上の引戸で開口部を閉止するように構成される引戸構造において閉止方向最前方に配置される引戸に装着する引手や、完全開放時には戸袋内に完全に埋没した状態で収納される引戸構造において該引戸に装着する引手にあっては、完全開放時に重なり合った状態で隣接している引戸との間または戸袋内面との間に指を入れるための空間を確保する必要があるため、非常に限られた寸法条件の中で閉止操作用の指掛け面を両側に形成しなければならない。本発明者は、このような制約の下で鋭意工夫と研究、実験を重ねて、本発明を完成するに至った。
【課題を解決するための手段】
【０００６】
この課題を解決するため、請求項１に係る本発明は、引戸に装着される引手（１０）であって、引戸の戸先側木口に形成される切欠きの周囲の両側面に被着される一対のフランジ部（１１，１２）と、一対のフランジ部の前端同士を連結して該切欠きの底面に被着される基部（３０）と、基部の引戸厚さ方向中途を起点として戸先方向に向かうにつれて一方側から他方側に傾斜して延長する傾斜部（３１）と、傾斜部の前方から一方側のフランジ部（１１）には至らない高さまで基部と略平行に立ち上がる第一立ち上がり部（３２）と、傾斜部の前方から他方側のフランジ部（１２）と略同じ高さまで基部と略平行に立ち上がって装着時にその外面が引戸の戸先側木口と略面一の前端面となる第二立ち上がり部（３３）と、を有しており、傾斜部によって装着時に引戸の一方側に現れる第一凹部（１３）と引戸の他方側に現れる第二凹部（１４）とに区画され、第一凹部においては、傾斜部の起点から引戸の一方側のフランジ部に至る領域の基部内面が引戸開放操作時の指掛け面となり、前記第一立ち上がり部の内面が引戸閉止操作時の指掛け面となり、第二凹部においては、傾斜部の起点から引戸の他方側のフランジ部に至る領域の基部内面が引戸開放操作時の指掛け面となり、前記第二立ち上がり部の内面が引戸閉止操作時の指掛け面となり、前端面の第一凹部側には、第一立ち上がり部と一方側のフランジ部との高さの差に応じた指入れ用の隙間（２２）が形成されることを特徴とする。
【０００７】
請求項２に係る本発明は、請求項１記載の引手において、傾斜部の傾斜角度が５〜２０度であることを特徴とする。
【発明の効果】
【０００９】
請求項１に係る本発明によれば、一方の室内側から引戸を開けるときは第一凹部側の基部（３０）の内面に指を掛けて引戸開放操作を行い、該一方の室内側から引戸を閉めるときは第一立ち上がり部（３２）の内面に指を掛けて引戸閉止操作を行い、他方の室内側から引戸を開けるときは第二凹部（１４）側の基部（３０）の内面に指を掛けて引戸開放操作を行い、該他方の室内側から引戸を閉めるときは第二立ち上がり部（３３）の内面に指を掛けて引戸閉止操作を行うことができる。このような引手は、居室内とウォークインクローゼットとの間に設けられる引戸のようにその両側からの開閉操作が要求される引戸に特に好適に用いられる。
【００１０】
また、前端面の第一凹部側に指入れ用の隙間が形成されているので、完全開放時に隣接する引戸と重なり合った状態となっている引戸や戸袋内に完全に埋没した状態となっている引戸であっても、該隙間に指を入れて第一前方面に指を掛けることにより、指を挟むことなく引戸閉止操作を行うことができる。
【００１１】
この指入れ用の隙間が形成されることにより、引戸閉止操作を行うための指掛け面（第一立ち上がり部（３２）および第二立ち上がり部（３３）の各内面）は限られた寸法条件の中で形成されることになるが、これらの面に指を掛けると共に前端面に別の指（特に親指）を添えて摘むようにして引戸閉止操作を行うことができるので、高さの低い指掛け面であっても確実な操作を可能にする。
【００１２】
さらに、第一立ち上がり部（３２）および第二立ち上がり部（３３）が傾斜面（３１）の前方に形成されているので、第二凹部（１４）において引戸開放操作を行うための指掛け面（傾斜部の起点から引戸の他方側のフランジ部に至る領域の基部（３０）の内面）にも十分な高さが確保され、第二凹部が現れる室内側からも引戸開放操作を確実に行うことができる。
【００１３】
請求項２に係る本発明によれば、傾斜部（３１）に適切な傾斜角度を与えることにより、上記効果を確実に発揮させることができる。
【図面の簡単な説明】
【００１４】
【図１】本発明の一実施形態による引手を一方向から見た状態の斜視図である。
【図２】この引手を他方向から見た状態の斜視図である。
【図３】この引手の背面図（ａ）、左側面図（ｂ）、正面図（ｃ）、右側面図（ｄ）、底面図（ｅ）、Ａ−Ａ断面図（ｆ）である。
【図４】この引手のＢ−Ｂ拡大断面図である。
【図５】この引手を引戸に装着した状態を例示する斜視図である。
【発明を実施するための形態】
【００１５】
図１ないし図４を参照して、本発明の一実施形態による引手について説明する。
【００１６】
この引手１０は、合成樹脂の一体成形品であり、一対のフランジ部１１，１２と、一面側の第一凹部１３と、他面側の第二凹部１４と、前端面１５とを有する。引手１０を引戸の戸先側木口に形成される切欠きに嵌着するようにして装着したとき（図５参照）に、フランジ部１１は、引戸の一方側（たとえばウォークインクローゼットの開口部に設置される引戸にあっては室内側）の切欠き周囲側面に被着され、フランジ部１２は、引戸の他方側（たとえばウォークインクローゼットの開口部に設置される引戸にあってはクローゼット側）の切欠き周囲側面に被着され、前端面１５は引戸の戸先側木口と略面一となる。したがって、フランジ部１１，１２間の間隔は、この引手１０が装着される引戸の厚さと略同一である。また、フランジ部１１，１２および前端面１５の内部に形成される嵌合部１６は、該引戸の戸先側木口に形成される切欠きと略同一の長さおよび幅寸法を有する。
【００１７】
嵌合部１６の三側面には、この引手１０を切欠きに嵌合して装着したときに、切欠きの周囲の材料（特に木質材）に突入してその装着状態を安定にするための凸条１７が形成されている。前端面１５の両端近くには、この引手１０を切欠きに嵌合した状態で固定するためのネジ２７，２７（図５）を挿通させる取付穴２８,２８が形成されている。
【００１８】
第一凹部１３は、底板（符号なし）の一面である第一底面１８と、第一底面１８の後方からフランジ部１１まで立ち上がる第一後方面１９と、第一底面１６の前方からフランジ部１１に至らない高さまで立ち上がる第一前方面２０とを有する。したがって、第一前方面２０と前端面１５とによって前端凸部２１が形成され、その上面とフランジ部１１の面高さとの間には所定寸法の隙間２２が形成されている。
【００１９】
第二凹部１４は、底板の他面である第二底面２３と、第二底面の後方からフランジ部１２まで立ち上がる第二後方面２４と、第二底面の前方からフランジ部１２まで立ち上がる第二前方面２５とを有する。この実施例では、第一凹部１３側の前端凸部２１の形成に伴う凹溝２６が、第二底面２３と第二前方面２５との間に現れている。
【００２０】
第一底面１８と第二底面２３は、第一後方面１９および第二後方面２４がそれぞれ第一前方面２０および第二前方面２５より高く形成される方向に傾斜しており、その傾斜角度は好ましくは５〜２０度である。
【００２１】
図５を参照して、この引手１０の用法について説明する。図５に示す例では、三枚の引戸１，２，３を公知の連動機構（図示せず）を介して連動させるように構成された引戸構造がウォークインクローゼットの開口部に設置される場合において、閉止時に最前方となる引戸１の戸先側木口４に形成される切欠き（図示せず）に、第一凹部１３が室内側、第二凹部１４がクローゼット側を向くように装着して使用される。この例では引戸１のみに引手１０が装着されているが、両方向に開閉可能とする場合は、引戸３の戸先側木口５にも同様の引手１０または他の構成の引手を装着しても良い。なお、図５において符号２７は、引手１０の前端面１５に形成した取付穴２８，２８に通して打ち込んで引手１０を固定するネジを示す。
【００２２】
図５に示す装着例において、引戸１，２，３が開口部を完全に閉止している状態（完全閉止状態）から、引戸１を開放方向Ｘに移動させようとするときは、引戸１に装着した引手１０の後方面１９，２４を用いて操作する。すなわち、室内側（図５において手前側）からこの引戸開放操作を行う場合は、第一凹部１４に指を入れ、第一後方面１９に指を掛けて、開放方向Ｘに引けば良く、クローゼット側（図５において奥側）からこの引戸開放操作を行う場合は、第二凹部１４に指を入れ、第二後方面２４に指を掛けて、開放方向Ｘに引けば良い。いずれの場合も、図５に示すような半開放状態になった後は、引戸１の戸先側木口４に手を添えて開放方向Ｘに押し込むことにより、開口部を最大限に開口させた完全開放状態が得られる。
【００２３】
この完全開放状態においては、引戸１と引戸２とが重なり合った状態で隣接することになるので、これらの戸先側木口が略面一になっていると、引手１０の室内側から第一凹部１３に指を入れることができない。しかしながら、この引手１０の第一凹部１３側の前端凸部２１はフランジ部１１より低く形成されているので、それらの間の隙間２２から指を入れることができ、第一前方面２０に指を掛けて引戸１を閉止方向Ｙに引き出し、連動機構を介して引戸２，３も同方向に移動させて、完全閉止状態に移行させることができる。クローゼット側からの引戸閉止操作については、完全閉止状態において第二凹部１４はクローゼット側に向けて開口しているので、第二凹部１４に指を入れることは容易であり、この指を第二前方面２５に掛けて、引戸１を閉止方向Ｙに引き出せば良い。なお、第一前方面２０および第二前方面２５は高さが低いので指を掛けようとしても十分に引っ掛からないことがあるが、前端面１５に別の指（親指）を添えて摘むようにすれば、室内側およびクローゼット側のいずれからも、引戸閉止操作を容易且つ確実に行うことができる。
【００２４】
上記した用法を前提として、引手１０の各部の寸法について図４を参照して説明する。既述したように、この引手１０は、引戸の戸先側木口に形成される切欠きに嵌着して装着されるものであるから、フランジ部１１，１２間の寸法Ｌ１は該引戸の厚さと略同一であり、この実施例ではＬ１＝３０．５ｍｍである。前端凸部２１とフランジ部１１との間には、既述したように、完全閉止状態において前方から第一凹部１３に指をスムーズに入れることができる寸法の隙間２２を与える必要があり、この実施例では隙間寸法Ｌ２＝１１．５ｍｍであり、したがって前端面１５の高さＬ３＝９．０ｍｍである。
【００２５】
引戸１を開閉する際に指を掛ける部分となる第一後方面１９、第一前方面２０、第二後方面２４および第二前方面２５の長さ（高さ）について説明する。引戸開放操作の際の指掛け面となる第一後方面１９および第二後方面２４については、フランジ間隔Ｌ１から第一底面１８と第二底面２３との間の板厚を除いた比較的大きな寸法から割り振ることができるので、これらに十分な高さを与えることができる。第一後方面１９、第二後方面２４は装着状態において引戸の戸先側木口に接しているので、引戸開放操作の際には専らこれら後方面に掛けた指だけで引戸１を開放方向Ｘに引き寄せなければならず、好ましくは人差指・中指・薬指の３本またはこのうちの２本の指をこの面に掛けることにより比較的大きな力で引くことが要求される。この観点から、第一後方面１９の高さｄ１と第二後方面２４の高さｄ２はいずれも１０ｍｍ以上であることが好ましい。この実施例では、ｄ１＝１６．８ｍｍ，ｄ２＝１２．２ｍｍである。ウォークインクローゼットの引戸は室内側から開閉操作されることが多いので、この実施形態ではｄ１＞ｄ２としている。
【００２６】
一方、引戸閉止操作の際に指掛け面となる第一前方面２０および第二前方面２５については、前述の隙間２２の高さ寸法Ｌ２の分だけこれら前方面に残される高さｄ３，ｄ４が制限される。しかしながら、これら前方面高さｄ３，ｄ４として５ｍｍ以上の高さを確保することができれば、親指を除く４本の指のうち少なくとも１本の指を第一前方面２０、第二前方面２５に掛けて引戸１を閉止方向Ｙに引き寄せることが可能である。この実施例では、ｄ３＝９．０ｍｍ、ｄ４＝８．０ｍｍである。この寸法についても、室内側からの開閉操作の方がクローゼット側からの開閉操作より頻繁に行われることを考慮して、ｄ３＞ｄ４としている。
【００２７】
第一前方面２０、第二前方面２５の高さ寸法ｄ３、ｄ４については、５ｍｍ以上を確保すれば、多くの場合は、これらの面に指を掛けて引戸閉止操作を行うことが可能であると考えられるものの、場合によっては高さが足りずに指が滑ってしまうことも考えられるが、既述したように、完全閉止状態においても開口部に向けて露出している前端面１５に親指を添え、第一前方面２０、第二前方面２５に掛けた指とで前端凸部２１を摘むことができるので、このようにして前端凸部２１を前後から保持して確実に引戸閉止操作を行うことができる。
【００２８】
なお、第一底面１８および第二底面２３が水平面（図４の状態において）として形成されると、ｄ２＝ｄ４となり、第二後方面２４に十分な高さ（ｄ≧１０ｍｍ）を与えることができず、クローゼット側からの引戸開放操作を困難にしてしまうことになるが、この実施例による引手１０では、第一後方面１９および第二後方面２４がそれぞれ第一前方面２０および第二前方面２５より高くなる傾斜面として第一底面１８、第二底面２３が形成されているので、ｄ４＜ｄ２とすることができ、第二後方面２４の高さｄ２を十分に大きく（ｄ≧１０ｍｍ）することができる。第一底面１８、第二底面２３の傾斜角度θは５〜２０度とすることが好ましい。この傾斜角度θが５度未満であると、第二後方面２４の高さｄ２を１０ｍｍ以上とすることが困難になり、２０度を超えると第一後方面１９の高さｄ１を１０ｍｍ以上とすることが困難になると共に、急角度の傾斜面となることにより第一凹部１３、第二凹部１４に指を入れたときの違和感が大きくなる。
【００２９】
以上に図示実施形態に基いて本発明を詳細に説明したが、本発明はこれに限定されるものではなく、特許請求の範囲に記載される発明の範囲内において多種多様に変更して実施可能である。引手の材質は合成樹脂に限らず、金属その他任意の材質で形成しても良い。また、引手は一体成形されたものに限らず、別々に作成された各部を接着、溶接、ビス止めなどの任意手段で接合してなるものであっても良い。
【００３０】
なお、図示実施形態の引手は、居室とウォークインクローゼットとの間の開口部に設置される引戸構造において、閉止時に最前方となる引戸の戸先側木口に装着して用いるものとして説明したが、本発明の引手はウォークインクローゼットの引戸に限定されず、他の引戸、たとえば室内を２つに区画するための開閉可能なパーティションとして設置される引戸構造の引戸に装着して用いても良い。本発明の引手において、図４を参照して説明した各部の寸法ｄ１〜ｄ４は、引手の用途・用法などに応じて適宜に設定することができるる。
【符号の説明】
【００３１】
１，２，３  引戸
４，５  木口
１０  引手
１１，１２  フランジ部
１３  第一凹部
１４  第二凹部
１５  前端面
１６  嵌合部
１７  凸条
１８  第一底面
１９  第一後方面
２０  第一前方面
２１  前端凸部
２２  指入れ用の隙間
２３  第二底面
２４  第二後方面
２５  第二前方面
２６  凹溝
２７  ネジ
２８  取付穴
３０  基部
３１  傾斜部
３２  第一立ち上がり部
３３  第二立ち上がり部
【図１】
0006667266.tif 000002
【図２】
0006667266.tif 000003
【図３】
0006667266.tif 000004
【図４】
0006667266.tif 000005
【図５】
0006667266.tif 000006